(57)【要約】【課題】ウエイトができるだけ後端側に集中するようにして飛行の直進性を向上させ飛距離がより伸びるようにするとともに飛行の安定性の向上を図る。【解決手段】前端側に釣糸が結束される非磁着性の本体１０と、本体１０内で前後方向に移動可能な磁着性の第１ウエイト２０と、第１ウエイト２０を移動可能にガイドする第１移動径路部３０と、第１ウエイト２０を前端３０ａで磁着保持する第１保持手段３５と、本体１０内で前後方向に移動可能な磁着性の第２ウエイト４０と、第２ウエイト４０を移動可能にガイドする第２移動径路部５０と、第２ウエイト４０を前端５０ａで磁着保持する第２保持手段５６とを備え、第１及び第２移動径路部３０，５０をこれらの少なくとも後端３０ｂ，５０ｂ側が互いに平行になるように設けた。【選択図】  図１
2004222521.tif 000002
【特許請求の範囲】
【請求項１】
前端側に釣糸が結束される非磁着性の本体と、該本体内で前後方向に移動可能な磁着性の第１ウエイトと、上記本体内に形成され上記第１ウエイトを移動可能にガイドする第１移動径路部と、上記第１ウエイトを上記第１移動径路部の前端で磁着保持する第１保持手段と、上記本体内で前後方向に移動可能な磁着性の第２ウエイトと、上記本体内に形成され上記第２ウエイトを移動可能にガイドする第２移動径路部と、上記第２ウエイトを上記第２移動径路部の前端で磁着保持する第２保持手段とを備え、上記第１及び第２ウエイトの移動により重心を移動させることができるルアーにおいて、
上記第１及び第２移動径路部をこれらの少なくとも後端側が互いに平行になるように設けたことを特徴とするルアー。
【請求項２】
上記第１及び第２移動径路部のいずれか一方を直線状に形成し、該第１及び第２移動径路部のいずれか他方の前端を上記いずれか一方の移動径路部の前端前方で該一方の移動径路部の延長線上に位置させたことを特徴とする請求項１記載のルアー。
【請求項３】
上記第１及び第２移動径路部を筒状の壁体で形成し、上記第１及び第２移動径路部のいずれか他方の後端側を該第１及び第２移動径路部のいずれか一方に隣接して設け、該隣接した移動径路部を形成する壁体を共用したことを特徴とする請求項２記載のルアー。
【請求項４】
上記壁体から各移動径路部内のウエイトをガイドする複数の凸条を該ウエイトの移動方向に沿って突設したことを特徴とする請求項２または３記載のルアー。
【請求項５】
上記第１及び第２ウエイトを上記第１及び第２移動径路部を転動する球体で形成し、上記第１及び第２保持手段を、該第１及び第２移動径路部の前端に固着され該各移動径路に対応するウエイトを磁着するマグネットで構成したことを特徴とする請求項１，２，３または４記載のルアー。
【請求項６】
上記第１及び第２移動径路部の少なくともいずれかにおいて、該移動径路部に対応するウエイトを複数設けるとともに、隣接するウエイト間に該ウエイトを磁着可能で該ウエイトと共に移動可能な可動マグネットを介装したことを特徴とする請求項５記載のルアー。
【請求項７】
上記可動マグネットをウエイトの移動方向に磁極を有し移動径路部を摺動する形状に形成したことを特徴とする請求項６記載のルアー。
【発明の詳細な説明】
【０００１】
【発明の属する技術分野】
本発明は、釣りに用いられるルアーに係り、特に、重心を移動させることができるルアーに関する。
【０００２】
【従来の技術】
従来、この種のルアーとしては例えば特許文献１に掲載されたものが知られている。
これは、図５に示すように、前端側に釣糸が結束される樹脂などで中空形成された非磁着性の擬似魚状本体１と、本体１内で移動可能な磁着性で球状の２つの第１ウエイト２と、この第１ウエイト２を本体１内下側で本体１の長手方向に沿って移動可能にガイドする第１移動径路部３と、本体１内で移動可能なマグネットからなる球状の第２ウエイト４と、この第２ウエイト４を本体１内の第１移動径路部３の前側において第１ウエイト２と交差する方向に移動可能にガイドする後方上方へ傾斜した第２移動径路部５とを備え、この第１及び第２ウエイト２，４の移動により重心を移動させることができるようにしている。また、第１及び第２移動径路部３，５の前端には、山形の金属製基板６が設けられ、この前端位置において基板６を介してマグネットからなる第２ウエイト４が第１ウエイト２を磁着保持する。
【０００３】
そして、このルアーを用いて釣りを行なう際、ルアーのキャスティング時には、第１及び第２ウエイト２，４が後端へ移動し、重心が後端側へ移動するので遠投性とコントロール性が向上させられる。一方、リーリング時には、第１及び第２ウエイト２，４が磁力により前端に移動して互いに磁着し、重心が中央に位置するようになるので、擬似魚状のルアーが泳ぐような姿勢をとるようになる。
【０００４】
【特許文献１】
特開２００１−２９９１５４号公報
【０００５】
【発明が解決しようとする課題】
ところで、このような従来のルアーにあっては、第２移動径路部５が第１移動径路部３に対して傾斜しているので、キャスティング時に第１及び第２ウエイト２，４が後端へ移動する際、第２ウエイト４に第１ウエイト２の移動方向に対して直角な方向の分力が生じることから、飛行の直進性に劣り、そのため、飛距離が必ずしも十分でないという問題があった。また、分力が生じることから、所謂バタつく等の現象が生じ易く、飛行が不安定になり易いという問題もあった。
【０００６】
本発明は、上記の問題点に鑑みてなされたもので、ウエイトができるだけ後端側に集中するようにして飛行の直進性を向上させ飛距離がより伸びるようにするとともに飛行の安定性の向上を図ったルアーを提供することを目的とする。
【０００７】
【課題を解決するための手段】
上記の目的を達成するため、本発明のルアーは、前端側に釣糸が結束される非磁着性の本体と、該本体内で前後方向に移動可能な磁着性の第１ウエイトと、上記本体内に形成され上記第１ウエイトを移動可能にガイドする第１移動径路部と、上記第１ウエイトを上記第１移動径路部の前端で磁着保持する第１保持手段と、上記本体内で前後方向に移動可能な磁着性の第２ウエイトと、上記本体内に形成され上記第２ウエイトを移動可能にガイドする第２移動径路部と、上記第２ウエイトを上記第２移動径路部の前端で磁着保持する第２保持手段とを備え、上記第１及び第２ウエイトの移動により重心を移動させることができるルアーにおいて、上記第１及び第２移動径路部をこれらの少なくとも後端側が互いに平行になるように設けた構成としている。
【０００８】
これにより、釣竿を操作してルアーをキャスティングすると、第１及び第２ウエイトに急激な遠心力が加わり、第１及び第２保持手段の保持が解除されて第１及び第２ウエイトは、後方へ移動し、第１及び第２移動径路部の後端に衝止し、これにより、ルアーは遠方へ飛行していく。この場合、第１及び第２移動径路部の後端側は互いに平行になっているので、各ウエイトに生じる力の方向が同じ方向を向くことになり、従来のように移動径路部が交差しウエイトに方向の異なる分力が生じるものに比較して、飛行の直進性が向上させられ、飛行距離が大幅に伸びるようになる。また、各ウエイトや可動マグネットに生じる力の方向が同じ方向を向くことになるので、所謂バタつく等の現象が生じにくく、飛行の安定性が向上させられる。
【０００９】
次に、ルアーが着水すると、第１及び第２保持手段により、第１及び第２ウエイトが、第１及び第２移動径路部の前端に保持される。これにより、重心が本体の中央に位置するようになるので、ルアーが水中で略水平状態となり、ルアーが泳ぐような姿勢をとり、リーリングが行われる。
【００１０】
また、必要に応じ、上記第１及び第２移動径路部のいずれか一方を直線状に形成し、該第１及び第２移動径路部のいずれか他方の前端を上記いずれか一方の移動径路部の前端前方で該一方の移動径路部の延長線上に位置させた構成としている。リーリング時においては、第１及び第２ウエイトが同位で一直線上に分布することになり、バランスをとり易くなる。そのため、擬似魚が泳ぐ状態を確実に保持できるようになる。
【００１１】
更に、必要に応じ、上記第１及び第２移動径路部を筒状の壁体で形成し、上記第１及び第２移動径路部のいずれか他方の後端側を該第１及び第２移動径路部のいずれか一方に隣接して設け、該隣接した移動径路部を形成する壁体を共用した構成としている。第１及び第２移動径路部の隣接した部分の壁体を共用したので、スペースの小さい本体内に、容易に２つの移動径路部を収容できる。また、このことにより、ルアーをコンパクトに形成でき、設計上の自由度が大きくなるという利点がある。
【００１２】
更にまた、必要に応じ、上記壁体から各移動径路部内のウエイトをガイドする複数の凸条を該ウエイトの移動方向に沿って突設した構成としている。各ウエイトの壁体への接触面積が少なくなることから、移動抵抗が少なくなり、そのため、ウエイトの移動が円滑に行なわれ、応答性を向上させることができる。
【００１３】
また、必要に応じ、上記第１及び第２ウエイトを上記第１及び第２移動径路部を転動する球体で形成し、上記第１及び第２保持手段を、該第１及び第２移動径路部の前端に固着され該各移動径路に対応するウエイトを磁着するマグネットで構成している。ウエイトをマグネット以外のもので形成できることから、マグネットは比較的軽いことに起因してウエイト自体をマグネットにした場合には重さの確保が難しかったが、それだけ、重さを容易に確保することができる。
【００１４】
更に、必要に応じ、上記第１及び第２移動径路部の少なくともいずれかにおいて、該移動径路部に対応するウエイトを複数設けるとともに、隣接するウエイト間に該ウエイトを磁着可能で該ウエイトと共に移動可能な可動マグネットを介装した構成としている。リーリング時において、ルアーが水の流れの速いところに急に入ったとき、あるいは、釣の技術上竿を微妙に振動させてルアーを動かすことを行なう際など、ルアーの動きが多少激しくなるようなことがあっても可動マグネットの介在によりウエイトを繋ぎ止める磁力が弱められることがなく、そのため、容易に、ウエイトが離間して移動することが防止され、バランスを失してルアーの泳ぎに悪影響を生じてしまう事態を防止することができ、擬似魚の機能を十分発揮させることができる。
【００１５】
この場合、上記可動マグネットをウエイトの移動方向に磁極を有し移動径路部を摺動する形状に形成したことが有効である。可動マグネットは摺動しかしないので、転動によるがたつき、所謂暴れが少なくて済み、そのため、飛行初期あるいは、着水初期のルアーの姿勢の安定化を図ることができる。
【００１６】
【発明の実施の形態】
以下、添付図面に基づいて、本発明の実施の形態に係るルアーについて詳細に説明する。
図１乃至図３に示すように、実施の形態に係るルアーＬは、前端側に釣糸（図示せず）が結束される非磁着性の本体１０を備えている。本体１０は、例えば、合成樹脂等で外形が擬似魚状に中空成形されている。本体１０の下縁は略直線状に形成され上縁は弧状に形成されている。１１は本体１０の前端に一体に設けられたリップ、１２はリップ１１に設けられ釣糸が結束されるリング状の釣糸結束部、１３は本体１０の下側の適宜の位置に設けられ釣針（図示せず）が係止されるリング状の前側釣針係止部、１４は本体１０の後端部に設けられ釣針が係止されるリング状の後側釣針係止部である。
【００１７】
この本体１０内には、本体１０内で前後方向に移動可能な磁着性の第１ウエイト２０が設けられ、この第１ウエイト２０を移動可能にガイドする第１移動径路部３０が形成されている。
第１ウエイト２０は、第１移動径路部３０を転動する例えば鋼球等の球体で形成されており、複数（実施の形態では２個）設けられている。また、隣接する第１ウエイト２０間には、第１ウエイト２０を磁着可能でこの第１ウエイト２０と共に移動可能な可動マグネット２１が介装されている。この可動マグネット２１は、第１ウエイト２０の移動方向に磁極を有し移動径路部を摺動する円柱形状に形成されている。
【００１８】
第１移動径路部３０は、本体１０の下縁に沿って筒状の壁体３１で直線状に形成されている。筒状の壁体３１は、本体１０の外側下側を構成する部分３２と、本体１０の中空内部に形成された区画壁３３とで構成されている。第１移動径路部３０の前端３０ａは前側釣針係止部１３の直後に位置させられ、後端３０ｂは後側釣針係止部１４の前位に位置させられている。また、壁体３１の左右から第１移動径路部３０内の第１ウエイト２０及び可動マグネット２１をガイドする複数（実施の形態では２つ）の凸条３４が第１ウエイト２０の移動方向に沿い互いに対向して突設されている。
【００１９】
更に、本体１０内には、第１ウエイト２０を上記第１移動径路部３０の前端で磁着保持する第１保持手段３５が設けられている。第１保持手段３５は、第１移動径路部３０の前端３０ａに固着され第１ウエイト２０を磁着するマグネットで構成されている。このため、第１保持手段３５をマグネットにしたので、第１ウエイト２０をマグネット以外のもので形成できることから、マグネットは比較的軽いことに起因してウエイト自体をマグネットにした場合には重さの確保が難しかったが、それだけ、重さを容易に確保できる。
【００２０】
また、本体１０内には、本体１０内で前後方向に移動可能な磁着性の第２ウエイト４０が設けられ、この第２ウエイト４０を移動可能にガイドする第２移動径路部５０が形成されている。
第２ウエイト４０は、第２移動径路部５０を転動する例えば鋼球等の１個の球体で形成されている。
【００２１】
第２移動径路部５０は、筒状の壁体５１で形成され、その後端５０ｂ側が第１移動径路部３０の後端３０ｂ側と互いに平行になるように第１移動径路部３０の上側に隣接して設けられている。即ち、第１及び第２移動径路部３０，５０の後端３０ｂ，５０ｂ側の壁体３１，５１は互いに平行なウエイトの転動面を形成している。筒状の壁体５１は、本体１０の外側両側部を構成する部分５２と、本体１０の中空内部に形成された上下の区画壁５３，５４とで構成されている。第２移動径路部５０の下側の区画壁５４の内、後端５０ｂ側は、隣接した第１移動径路部３０を形成する壁体３１の区画壁３３と共用されている。そのため、壁体３３（５４）を共用している分、スペースの小さい本体１０内に、容易に２つの移動径路部３０，５０を収容できる。また、このことにより、ルアーＬをコンパクトに形成でき、設計上の自由度が大きくなるという利点がある。
【００２２】
また、第２移動径路部５０の前端５０ａは、第１移動径路部３０の前端３０ａ前方で本体１０の前端の後位に位置させられるとともに、第１移動径路部３０の延長線上に位置させられている。第２移動径路部５０の後端５０ｂは第１移動径路部３０の後端３０ｂより前位に位置させられている。そして、第２移動径路部５０の前端５０ａ側から後端５０ｂ側に掛けての中間部は上側後方に向けて傾斜形成されている。
更に、壁体５１の左右から第２移動径路部５０内の第２ウエイト４０をガイドする複数（実施の形態では２つ）の凸条５５が第２ウエイト４０の移動方向に沿い互いに対向して突設されている。
【００２３】
更にまた、本体１０内には、第２ウエイト４０を第２移動径路部５０の前端５０ａで磁着保持する第２保持手段５６が設けられている。第２保持手段５６は、第２移動径路部５０の前端５０ａに固着され第２ウエイト４０を磁着するマグネットで構成されている。このため、第２保持手段５６をマグネットにしたので、第２ウエイト４０をマグネット以外のもので形成できることから、マグネットは比較的軽いことに起因してウエイト自体をマグネットにした場合には重さの確保が難しかったが、それだけ、重さを容易に確保できる。
【００２４】
従って、この実施の形態に係るルアーＬを用いて釣りを行なうときは以下のようになる。
先ず、釣竿（図示せず）を操作してルアーＬをキャストする。このとき、図３に示すように、第１ウエイト２０，可動マグネット２１及び第２ウエイト４０に急激な遠心力が加わり、第１及び第２保持手段３５，５６のマグネットから第１及び第２ウエイト２０，４０が離間して、第１ウエイト２０，可動マグネット２１及び第２ウエイト４０は、後方へ移動し、第１及び第２移動径路部３０，５０の後端３０ｂ，５０ｂに衝止する。この場合、第１及び第２移動径路部３０，５０の壁体３１，５１から各ウエイト２０，４０をガイドする複数の凸条３４，５５が突設されているので、各ウエイト２０，４０の壁体３１，５１への接触面積が少なくなることから、移動抵抗が少なくなり、そのため、移動が円滑に行なわれ、応答性が向上させられる。
【００２５】
また、この第１ウエイト２０，可動マグネット２１及び第２ウエイト４０の後方への移動の際には、第１及び第２ウエイト２０，４０は転動あるいは摺動するが、第１ウエイト２０間にある可動マグネット２１は、円柱状で摺動しかしないので、転動によるがたつき、所謂暴れが少なくて済み、そのため、飛行初期のルアーＬの姿勢の安定化が図られる。
【００２６】
このように、第１ウエイト２０，可動マグネット２１及び第２ウエイト４０が第１及び第２移動径路部３０，５０の後端３０ｂ，５０ｂに衝止することで、ルアーＬは遠方へ飛行していく。この場合、第１及び第２移動径路部３０，５０の後端３０ｂ，５０ｂ側は互いに平行になっているので、各ウエイト２０，４０や可動マグネット２１に生じる力の方向が同じ方向を向くことになり、従来のように移動径路部が交差しウエイトに方向の異なる分力が生じるものに比較して、飛行の直進性が向上させられ、飛行距離が大幅に伸びるようになる。また、各ウエイト２０，４０や可動マグネット２１に生じる力の方向が同じ方向を向くことになるので、所謂バタつく等の現象が生じにくく、飛行の安定性が向上させられる。
【００２７】
次に、ルアーＬが着水すると、第１及び第２保持手段３５，５６のマグネットの磁力により、第１ウエイト２０，可動マグネット２１及び第２ウエイト４０が、マグネット側に引っ張られ、第１及び第２移動径路部３０，５０の前端３０ａ，５０ａに磁着させられる。この場合も、第１及び第２移動径路部３０，５０の壁体３１，５１から各ウエイト２０，４０をガイドする複数の凸条３４，５５が突設されているので、各ウエイト２０，４０の壁体３１，５１への接触面積が少なくなることから、移動抵抗が少なくなり、そのため、移動が円滑に行なわれ、応答性が向上させられる。これにより、重心が本体１０の中央に位置するようになるので、ルアーＬが水中で略水平状態となり、ルアーＬが泳ぐような姿勢をとり、リーリングが行われる。
【００２８】
また、この第１ウエイト２０，可動マグネット２１及び第２ウエイト４０の前方への移動の際には、第１及び第２ウエイト２０，４０は転動あるいは摺動するが、第１ウエイト２０間にある可動マグネット２１は、円柱状で摺動しかしないので、転動によるがたつき、所謂暴れが少なくて済み、そのため、水中初期でのルアーＬの姿勢の安定化が図られる。
【００２９】
このリーリング時においては、第２移動径路部５０の前端５０ａを第１移動径路部３０の前端３０ａ前方で第１移動径路部３０の延長線上に位置させたので、第１及び第２ウエイト２０，４０が同位で一直線上に分布することになり、バランスをとり易くなる。そのため、擬似魚が泳ぐ状態を確実に保持できるようになる。
【００３０】
また、このリーリング時においては、ルアーＬが水の流れの速いところに急に入ったとき、あるいは、釣の技術上竿を微妙に振動させてルアーＬを動かすことを行なう際など、ルアーＬの動きによって、特に、複数ある第１ウエイト２０においては、後側の第１ウエイト２０が前側の第１ウエイト２０から離れようとするが、第１ウエイト２０間には可動マグネット２１が介装されているので、磁力が弱められることがなく、そのため、容易に、前側の第１ウエイト２０から後側の第１ウエイト２０が離間して移動しにくく、そのため、バランスを失してルアーＬの泳ぎに悪影響を生じてしまう事態が防止され、擬似魚の機能を十分発揮させることができる。
【００３１】
図４には、本発明の別の実施の形態に係るルアーＬを示している。これは上記と異なって、第１及び第２移動径路部３０，５０が全長に亘って互いに平行に設けられている。また、第１移動径路部３０においては、第１ウエイト２０が３個設けられており、その内、後端側の２つの第１ウエイト２０間に可動マグネット２１が介装されている。一方、第２移動径路部５０においても、第２ウエイト４０が２個設けられており、２つの第２ウエイト４０間に可動マグネット４１が介装されている。作用，効果は上記と同様である。
【００３２】
尚、本発明は上記実施の形態に限定されるものではない。特に、第１及び第２移動径路部３０，５０の長さや直線性については上述したものに限定されるものではなく、適宜変更して差支えない。要するに、少なくとも後端側が互いに平行になっていればどのように形成しても良い。また、上記実施の形態において、第１及び第２移動径路部３０，５０を長手方向を軸にして１８０度回転して、上側に第１移動径路部３０、下側に第２移動径路部５０が位置するように設けても良く、適宜変更して差支えない。更に、第１及び第２ウエイト２０，４０の各々の数量は適宜に定めて良い。また、可動マグネットの数も、設けるウエイトの数や大きさに合わせてその数や配置位置を適宜に設定してよいことは勿論である。尚また、上記実施の形態では、保持手段をマグネットで構成したが、必ずしもこれに限定されるものではなく、ウエイトをマグネットで形成し、保持手段を移動径路部の前端に設けられる磁着性の金属板で構成しても良く適宜変更して差支えない。
【００３３】
【発明の効果】
以上説明したように、本発明のルアーによれば、キャスティング時においては、急激な遠心力により第１及び第２ウエイトが、後方へ移動して、第１及び第２移動径路部の後端に衝止するが、この場合、第１及び第２移動径路部の後端側は互いに平行になっているので、各ウエイトに生じる力の方向が同じ方向を向くことになり、従来のように移動径路部が交差しウエイトに方向の異なる分力が生じるものに比較して、飛行の直進性が向上させられ、そのため、飛行距離を大幅に伸ばすことができるようになる。また、各ウエイトに生じる力の方向が同じ方向を向くことになるので、所謂バタつく等の現象が生じにくく、飛行の安定性を向上させることができる。
【００３４】
また、第１及び第２移動径路部のいずれか他方の前端をいずれか一方の移動径路部の前端前方でその延長線上に位置させた場合には、リーリング時においては、第１及び第２ウエイトが同位で一直線上に分布することになり、バランスをとり易くなる。そのため、擬似魚が泳ぐ状態を確実に保持できるようになる。
【００３５】
更に、第１及び第２移動径路部の隣接した部分の壁体を共用した場合には、スペースの小さい本体内に、容易に２つの移動径路部を収容できる。また、このことにより、ルアーをコンパクトに形成でき、設計上の自由度が大きくなるという利点がある。
【００３６】
更にまた、壁体から各移動径路部内のウエイトをガイドする複数の凸条をウエイトの移動方向に沿って突設した場合には、各ウエイトの壁体への接触面積が少なくなることから、移動抵抗が少なくなり、そのため、移動が円滑に行なわれ、応答性を向上させることができる。
【００３７】
また、第１及び第２ウエイトを球体で形成し、第１及び第２保持手段をマグネットで構成した場合には、ウエイトをマグネット以外のもので形成できることから、マグネットは比較的軽いことに起因してウエイト自体をマグネットにした場合には重さの確保が難しかったが、それだけ、重さを容易に確保することができる。
【００３８】
更に、ウエイトを複数設けるとともに、隣接するウエイト間にウエイトを磁着可能でウエイトと共に移動可能な可動マグネットを介装した場合には、リーリング時において、ルアーが水の流れの速いところに急に入ったとき、あるいは、釣りの技術上竿を微妙に振動させてルアーを動かすことを行なう際など、ルアーの動きによって、ウエイトを繋ぎ止める磁力が弱められることがなく、そのため、容易に、後側ウエイトが離間して、バランスを失してルアーの泳ぎに悪影響を生じてしまう事態を防止することができ、擬似魚の機能を十分発揮させることができる。
【００３９】
この場合、可動マグネットをウエイトの移動方向に磁極を有し移動径路部を摺動する形状に形成した場合には、可動マグネットは摺動しかしないので、転動によるがたつき、所謂暴れが少なくて済み、そのため、飛行初期あるいは、着水初期のルアーの姿勢の安定化を図ることができる。
【図面の簡単な説明】
【図１】本発明の実施の形態に係るルアーをリーリング時の状態で示す縦断面図である。
【図２】本発明の実施の形態に係るルアーを示す横断面図である。
【図３】本発明の実施の形態に係るルアーをキャスティング時の状態で示す縦断面図である。
【図４】本発明の別の実施の形態に係るルアーをリーリング時の状態で示す縦断面図である。
【図５】従来のルアーの一例を示す縦断面図である。
【符号の説明】
Ｌ  ルアー
１０  本体
１１  リップ
１２  釣糸結束部
１３  前側釣針係止部
１４  後側釣針係止部
２０  第１ウエイト
２１  可動マグネット
３０  第１移動径路部
３０ａ  前端
３０ｂ  後端
３１  壁体
３２  本体外側下側を構成する部分
３３  区画壁
３４  凸条
３５  第１保持手段
４０  第２ウエイト
４１  可動マグネット
５０  第２移動径路部
５０ａ  前端
５０ｂ  後端
５１  壁体
５２  本体の外側両側部を構成する部分
５３，５４  区画壁
５５  凸条
５６  第２保持手段
【図１】
2004222521.tif 000003
【図２】
2004222521.tif 000004
【図３】
2004222521.tif 000005
【図４】
2004222521.tif 000006
【図５】
2004222521.tif 000007